(57)【要約】【課題】洗濯水を加熱して洗濯コースを実行できる洗濯機及びその制御方法を提供する。【解決手段】洗濯水を加熱して洗濯コースを実行する洗濯機の制御方法において、複数個の洗濯コースから特定コースを選択するコース選択段階と、内槽に収容された洗濯布の量（布量）を感知し、本洗いのための洗濯水の水位を決定する水位決定段階と、洗濯布の一部が洗濯水に濡れるように、内槽の底面よりは高く、本洗いのための洗濯水の水位よりは低い、スチーム発生のための洗濯水の水位に洗濯水を給水する、スチーム発生のための洗濯水供給段階と、内槽を収容する外槽に設けられた洗濯ヒーターを駆動して洗濯水を第１設定温度まで加熱し、洗濯水からスチームを発生させるスチーム段階と、本洗いのための洗濯水の水位まで洗濯水を給水する洗濯給水段階と、本洗いを行う本洗い段階と、を含む洗濯機の制御方法を提供する。【選択図】図６
2014147781.tif 000002
【特許請求の範囲】
【請求項１】
洗濯水を加熱して洗濯コースを実行する洗濯機の制御方法であって、
複数個の洗濯コースから特定コースを選択するコース選択段階と、
内槽に収容された洗濯布の量（布量）を感知し、本洗いのための洗濯水の水位を決定する水位決定段階と、
前記洗濯布の一部が洗濯水に濡れるように、前記内槽の底面よりは高く、前記本洗いのための洗濯水の水位よりは低い、スチーム発生のための洗濯水の水位に洗濯水を給水する、スチーム発生のための洗濯水供給段階と、
前記内槽を収容する外槽に設けられた洗濯ヒーターを駆動して前記洗濯水を第１設定温度まで加熱し、前記洗濯水からスチームを発生させるスチーム段階と、
前記本洗いのための洗濯水の水位まで洗濯水を給水する洗濯給水段階と、
本洗いを行う本洗い段階と、
を含む、洗濯機の制御方法。
【請求項２】
前記洗濯水は、前記内槽の上部から前記内槽の底面に向かって給水されることを特徴とする、請求項１に記載の洗濯機の制御方法。
【請求項３】
前記洗濯水は、洗剤ボックスを通って前記内槽に供給されることを特徴とする、請求項２に記載の洗濯機の制御方法。
【請求項４】
前記コース選択段階、前記水位決定段階、前記スチーム発生のための洗濯水供給段階、前記スチーム段階、前記洗濯給水段階、及び前記本洗い段階は、順次的に行われることを特徴とする、請求項１乃至３のいずれか一項に記載の洗濯機の制御方法。
【請求項５】
前記複数個の洗濯コースは、前記スチーム発生のための洗濯水供給段階とスチーム段階の実行を選択可能なコーススチーム可能コースを含むことを特徴とする、請求項４に記載の洗濯機の制御方法。
【請求項６】
前記スチーム発生のための洗濯水供給段階とスチーム段階は、前記スチーム可能コースの選択と共にスチームオプション選択により実行されることを特徴とする、請求項５に記載の洗濯機の制御方法。
【請求項７】
前記複数個の洗濯コースは、前記スチーム発生のための洗濯水供給段階、前記スチーム段階及び前記スチームオプション選択が排除されるコース（スチーム排除コース）を含むことを特徴とする、請求項６に記載の洗濯機の制御方法。
【請求項８】
前記複数個の洗濯コースは、前記コース選択段階、前記水位決定段階、前記スチーム発生のための洗濯水供給段階、前記スチーム段階、前記洗濯給水段階、及び前記本洗い段階が順次に行われるコース（スチームコース）を含むことを特徴とする、請求項４に記載の洗濯機の制御方法。
【請求項９】
前記第１設定温度は、６０℃以上であることを特徴とする、請求項１に記載の洗濯機の制御方法。
【請求項１０】
前記第１設定温度は、７０℃未満であることを特徴とする、請求項９に記載の洗濯機の制御方法。
【請求項１１】
前記内槽の底面にパルセータが設けられ、前記スチーム発生のための洗濯水の水位は、実質的に前記パルセータの上部まで浸かる水位であることを特徴とする、請求項１乃至３のいずれか一項に記載の洗濯機の制御方法。
【請求項１２】
前記スチーム発生のための洗濯水供給段階及び前記洗濯給水段階では、前記内槽に供給可能な最高水温の洗濯水が供給されることを特徴とする、請求項１乃至３のいずれか一項に記載の洗濯機の制御方法。
【請求項１３】
前記内槽の底面にパルセータが設けられ、前記スチーム段階は、前記パルセータ駆動がない状態で行われることを特徴とする、請求項１乃至３のいずれか一項に記載の洗濯機の制御方法。
【請求項１４】
洗濯給水段階の終了後に、前記洗濯ヒーターを再駆動して前記洗濯水を第２設定温度まで加熱する洗濯水ヒーティング段階を含むことを特徴とする、請求項１乃至３のいずれか一項に記載の洗濯機の制御方法。
【請求項１５】
前記第２設定温度は、前記第１設定温度よりも低いことを特徴とする、請求項１４に記載の洗濯機の制御方法。
【請求項１６】
前記第１設定温度と第２設定温度は、前記洗濯水ヒーティング終了時点の前後に、前記洗濯水の温度が５５℃以上で１０分以上維持されるように決定されることを特徴とする、請求項１５に記載の洗濯機の制御方法。
【請求項１７】
前記第２設定温度は、５０℃以上６０℃以下であることを特徴とする、請求項１５に記載の洗濯機の制御方法。
【請求項１８】
前記内槽の底面にパルセータが設けられ、前記洗濯水ヒーティング段階は、連続的に前記ヒーターが駆動されるヒーター駆動段階と、前記パルセータが駆動される撹はん段階とを含むことを特徴とする、請求項１４に記載の洗濯機の制御方法。
【請求項１９】
前記ヒーター駆動段階では前記パルセータの駆動が停止し、前記撹はん段階では前記ヒーターの駆動が停止することを特徴とする、請求項１８に記載の洗濯機の制御方法。
【請求項２０】
前記ヒーター駆動段階と前記撹はん段階は順次的にそして反復的に行われることを特徴とする、請求項１９に記載の洗濯機の制御方法。
【発明の詳細な説明】
【技術分野】
【０００１】
本発明は、洗濯機に係り、特に、洗濯水を加熱して洗濯コースを実行できる洗濯機及びその制御方法に関する。
【背景技術】
【０００２】
洗濯機は、洗濯水と洗剤を使って洗濯布から汚れを落とすための装置のことを意味する。洗濯水に溶解された洗剤による化学的作用を用いて汚れを分離でき、洗濯水の機械的作用や内槽又はドラムの駆動による機械的作用を用いて汚れを分離できる。
【０００３】
一般に、洗濯機には洗濯水を加熱するための洗濯ヒーターが設けられている。洗濯水の加熱は、洗剤の活性化を促進し、高温により洗濯布の殺菌効果を高めるために行われる。
【０００４】
最近では、エネルギー消耗を低減しながら高温の洗濯環境を作るためにスチームを供給できる洗濯機が多く普及されている。
【０００５】
スチームは、沸騰点以上に水を加熱して生成してもよく、この場合には不可視的なスチームが発生するといえる。また、スチームは、沸騰点未満に水を加熱して生成してもよく、この場合には可視的なスチームが発生するといえる。
【０００６】
一般に、洗濯機は、洗濯布の収容される内槽（ドラム）が水平軸を基準に駆動して洗濯が行われる水平軸洗濯機を含む。このような水平軸洗濯機は、ドラム駆動により洗濯布に機械的なエネルギーを加えて汚れを分離する。
【０００７】
水平軸洗濯機の洗濯環境は、洗濯布が完全に洗濯水に浸っていない状態といえる。したがって、水平軸洗濯機における機械的作用の大部分は、洗濯布同士の摩擦、洗濯布とドラムとの摩擦、洗濯布に加えられる衝撃力などでり、これら機械的作用により洗濯が行われる。勿論、この場合、洗剤による化学的作用によっても洗濯が行われる。
【０００８】
洗濯機は、洗濯布の収容される内槽（ドラム）が垂直軸を基準に回転したり、内槽内のパルセータが回転して洗濯が行われる垂直軸洗濯機を含む。垂直軸洗濯機も同様、内槽又はパルセータの駆動により洗濯布に機械的なエネルギーを加えて汚れを分離する。
【０００９】
垂直軸洗濯機の洗濯環境は、洗濯布が完全に洗濯水に浸る状態であるといえる。したがって、垂直軸洗濯機における機械的作用の大部分は、水と洗濯布との摩擦や衝撃力などであり、これら機械的作用により洗濯が行われる。この場合にも同様、洗剤による化学的作用によっても洗濯が行われる。
【００１０】
このように、垂直軸洗濯機と水平軸洗濯機は、使用する洗濯水の量と洗濯メカニズムにおいて相違している。
【００１１】
このような相違にもかかわらず、水平軸洗濯機、垂直軸洗濯機とも、洗濯水を加熱するための洗濯ヒーターを備えている。洗濯水ヒーターを駆動して洗濯水の温度を設定温度まで上げることは周知である。ただし、エネルギーの観点から、多量の洗濯水を設定温度まで加熱することは好ましくないだろう。
【００１２】
したがって、洗濯コースにおいて、洗濯水の加熱時点、加熱時点における洗濯水の量、加熱回数、加熱温度、及びスチーム量などを最適化する必要がある。すなわち、要求される洗濯効果の達成と共にエネルギー消耗の低減は、洗濯機分野における当面の課題といえる。
【００１３】
特開平０４−１５８８９６号公報（以下、「特許文献１」という。）には、洗濯行程の前に少量の水が給水され、洗濯ヒーターを用いて蒸気発生行程を行う一例が開示されている。
【００１４】
しかしながら、特許文献１の発明は、乾布状態で蒸気を用いて殺菌を行うもので、汚れの落ちといった洗濯効果の増進にはあまり効果がないだろう。洗濯効果の増進は、単純な温度上昇による殺菌効果だけで得られるものではないからである。
【００１５】
一方、洗濯機自体でスチームを発生させるということは、追加的にエネルギーを消耗することにつながることを意味する。したがって、使用者がスチーム使用の有無を直観的に把握でき、且つ容易に選択できる洗濯機を提供する必要がある。
【００１６】
また、近年では、微細昆虫、例えば、家ダニにより発生するアレルギーに苦しんでいる人が多い。特に、乳児はこのようなダニに弱い。そのため、效果的にダニを殺虫できる方案が必要な実情である。
【００１７】
このような家ダニは、一般のかびや細菌などとは違い、単に高温の環境のみでは除去し難い。したがって、このようなダニを効果的に除去できる洗濯機が要望されている。勿論、消耗されるエネルギーを最小化する必要がある。
【先行技術文献】
【特許文献】
【００１８】
【特許文献１】特開平０４−１５８８９６号公報
【発明の概要】
【発明が解決しようとする課題】
【００１９】
本発明は、基本的に、上述した従来の洗濯機における問題を解決することを目的とする。
【００２０】
本発明の実施例により、少ないエネルギーを消耗するスチーム段階を実行できる洗濯機及びその制御方法を提供する。
【００２１】
本発明の実施例により、洗濯効果と殺菌効果を効率よく増大させることができる洗濯機を提供する。具体的に、スチームを用いて、洗濯初期に汚れ、洗濯布及び洗剤を効率よくふやかす段階を実行できる洗濯機及びその制御方法を提供する。
【００２２】
本発明の実施例により、コースとスチームオプションを使用者が直観的に且つ容易に選択でき、便利に使用できる洗濯機及びその制御方法を提供する。
【００２３】
本発明の実施例により、直観的、視覚的及び時間的にスチーム使用の有無を明確に区別できる洗濯機及びその制御方法を提供する。
【００２４】
本発明の実施例により、アレルギーを誘発する家ダニを効率よく且つ少ないエネルギーで殺虫できる洗濯機及びその制御方法を提供する。
【００２５】
本発明の実施例により、スチーム発生のための洗濯水の水位と本洗いのための洗濯水の水位、スチーム発生のための洗濯水の水位と本洗いのための洗濯水の水位で加熱される洗濯水の温度、及びスチーム段階と本洗い段階、がそれぞれ明確に区別されるようにし、最大のスチーム効果を導出できる洗濯機及びその制御方法を提供する。
【課題を解決するための手段】
【００２６】
上記目的を達成するために、本発明の一実施例によれば、洗濯水を加熱して洗濯コースを実行する洗濯機の制御方法において、複数個の洗濯コースから特定コースを選択するコース選択段階と、内槽に収容された洗濯布の量（布量）を感知して本洗いのための洗濯水の水位を決定する水位決定段階と、前記洗濯布の一部が洗濯水に濡れるように、前記内槽の底面よりは高く、前記本洗いのための洗濯水の水位よりは低い、スチーム発生のための洗濯水の水位に洗濯水を給水するスチーム発生のための洗濯水供給段階と、前記内槽を収容する外槽に設けられた洗濯ヒーターを駆動して前記洗濯水を第１設定温度まで加熱し、前記洗濯水からスチームを発生させるスチーム段階と、前記本洗いのための洗濯水の水位まで洗濯水を給水する洗濯給水段階と、本洗いを行う本洗い段階と、を含む、洗濯機の制御方法が提供される。
【００２７】
前記洗濯水は、前記内槽の上部から前記内槽の底面に向かって給水されることが好ましい。すなわち、スチーム発生のための洗濯水供給段階及び洗濯給水段階の両方とも、内槽に収容された洗濯布に向って直接給水されることが好ましい。
【００２８】
前記洗濯水は洗剤ボックスを通って前記内槽に供給されることが好ましい。したがって、スチーム段階の実行前に、スチーム発生のための洗濯水供給段階で洗濯水と洗剤が洗濯布に供給されることができる。
【００２９】
これらの段階は順次に行われるとよい。すなわち、スチーム段階が本洗い段階前に行われることが好ましい。
【００３０】
前記複数個の洗濯コースは、前記スチーム発生のための洗濯水供給段階とスチーム段階の実行を選択可能なコース（スチーム可能コース）を含むとよい。そして、前記スチーム発生のための洗濯水供給段階とスチーム段階は、前記スチーム可能コースの選択と共にスチームオプション選択により行われるとよい。すなわち、スチーム可能コースのみ選択されると、スチーム段階が実行されないあらかじめ設定されたコースが行われるとよい。そして、スチーム可能コースとスチームオプションが選択されると、スチーム段階が行われた後、あらかじめ設定されたコースが行われるとよい。
【００３１】
前記複数個の洗濯コースは、前記スチーム発生のための洗濯水供給段階、前記スチーム段階及び前記スチームオプション選択が排除されるコース（スチーム排除コース）を含んでもよい。このようなスチーム排除コースは、いかなる場合にもスチーム段階が実行されないあらかじめ設定されたコースでよい。したがって、前記スチームオプションの選択もできないコースといえる。
【００３２】
前記複数個の洗濯コースは、前記各段階が順次に行われるコース（スチームコース）を含んでもよい。すなわち、コース選択だけでも自動でスチーム段階が行われるコースを含んでもよい。このようなスチームコースも同様、スチーム段階が実行された後、本洗いが行われることが好ましい。
【００３３】
したがって、本実施例に係る洗濯機では、コース選択、又はコース及びスチームオプションによりスチーム段階が行われるとよい。しかし、いずれの場合にもスチーム段階が本洗い段階の前に行われることが好ましい。
【００３４】
このようなスチーム段階は、前記本洗い段階よりも先に行われるので、使用者は時間的にスチーム段階の実行有無が明確に把握できる。なお、スチーム段階と本洗い段階とが明確に区別されるとよく、これによっても、使用者はスチーム段階の実行有無が明確に把握できる。
【００３５】
一方、前記スチーム段階は、本洗い段階に比べて、水位、及び内槽とパルセータの駆動パターンが顕著に異なっている。なお、前記スチーム段階では可視的なスチームが発生するから、本洗い段階と顕著に相違する。したがって、使用者は直観的にスチーム段階の実行有無が容易に把握できる。
【００３６】
前記第１設定温度は６０℃以上であってよい。前記第１設定温度は７０℃未満であってよい。ここで、前記第１設定温度は、前記洗濯機に提供可能な最高水温の洗濯水温度よりは高いことが好ましい。一般に、温水の提供が可能な洗濯機設置環境で、温水の温度は５０℃を上回らない。したがって、充分な量のスチームを発生させるためには、最高水温の洗濯水温度よりは高い温度に第１設定温度が設定されることが好ましい。
【００３７】
前記内槽の底面にパルセータが設けられ、前記スチーム発生のための洗濯水の水位は実質的に前記パルセータの上部まで浸かる水位であることが好ましい。
【００３８】
このようなスチーム発生のための洗濯水の水位において、内槽の最も底部に位置する洗濯布は洗濯水に浸される。しかし、大部分の洗濯布は、スチーム発生のための洗濯水の水位よりも上部に位置する。スチーム発生のための洗濯水の水位におけるスチーム発生は、洗濯布を迅速に濡らす一方で、洗濯布、汚れ及び洗剤のふやかしを促進する。
【００３９】
前記スチーム発生のための洗濯水供給段階では、前記内槽に供給可能な最高水温の洗濯水が供給されることが好ましい。同様に、前記洗濯給水段階では、前記最高水温の洗濯水が供給されることが好ましい。
【００４０】
前記スチーム段階は、前記パルセータ駆動がない状態で行われることが好ましい。これは、水位が非常に低いため、パルセータの駆動により洗濯布が損傷することがあるからである。しかし、パルセータ駆動がない状態は、内槽の回転が排除される状態を意味しない。すなわち、スチーム段階で内槽は一定時間回転できる。勿論、構造的に、内槽の回転は、パルセータと一体に回転することを意味できる。したがって、パルセータ駆動がない状態とは、パルセータのみ回転しない状態を意味できる。
【００４１】
前記洗濯機の制御方法は、洗濯給水段階の終了後に、洗濯ヒーターを再駆動して前記洗濯水を第２設定温度まで加熱する洗濯水ヒーティング段階を含んでもよい。
【００４２】
前記第２設定温度は前記第１設定温度よりも低いことが好ましい。
【００４３】
前記洗濯水ヒーティング段階の終了後に前記本洗い段階が行われ、前記第１設定温度と第２設定温度は、前記洗濯水ヒーティング終了時点の前後に、前記洗濯水の温度が５５℃以上で１０分以上維持されるように決定されるとよい。
【００４４】
前記第２設定温度は、５０℃以上６０℃以下でよい。
【００４５】
前記洗濯水ヒーティング段階は、前記パルセータ駆動がない状態で行われるとよい。
【００４６】
前記洗濯水ヒーティング段階は、連続的に前記ヒーターが駆動されるヒーター駆動段階と、前記パルセータが駆動される撹はん段階とを含むとよい。前記ヒーター駆動段階では前記パルセータの駆動が停止し、前記撹はん段階では前記ヒーターの駆動が停止するとよい。
【００４７】
前記ヒーター駆動段階と前記撹はん段階は順次的に且つ反復的に行われることが好ましい。
【００４８】
上記目的を達成するために、本発明の一実施例によれば、洗濯水が貯水される外槽と、前記外槽内に設けられ、洗濯布を収容する内槽と、複数個の洗濯コースを選択するように設けられたコース選択部と、前記洗濯コースの細部オプションを選択するように設けられたオプション選択部と、洗濯水を加熱するように前記外槽に設けられた洗濯ヒーターと、前記内槽に洗濯水を直接供給するように設けられた給水手段と、前記内槽に収容された洗濯布の量（布量）と前記コース選択部で選択された特定洗濯コースに基づいて本洗いのための洗濯水の水位を決定し、前記本洗いのための洗濯水の水位まで給水されるように前記給水手段を制御して本洗いを行う制御部と、を備えており、前記制御部は、前記コース選択部の選択、又は前記コース選択部及び前記オプション選択部によりスチーム段階が行われるように選択される場合に、前記本洗いの前に、前記本洗いのための洗濯水の水位よりも低いスチーム発生のための洗濯水の水位まで給水されるように前記給水手段を制御し、前記洗濯水を第１設定温度まで加熱して前記洗濯水からスチームが発生するように前記洗濯ヒーターの駆動を制御することで前記スチーム段階を行うことを特徴とする洗濯機が提供される。
【００４９】
前記コース選択部は、コース選択により前記スチーム段階が自動で行われるスチームコース、コース選択と共に前記スチーム段階を選択してもよいスチーム可能コース、及び前記スチーム段階が排除されるスチーム排除コースを含むとよい。
【００５０】
前記スチームコースは、アレルギー誘発物質を除去するように設定されたアレルギーコースを含み、該アレルギーコースが選択されると、前記制御部は、前記本洗いのための洗濯水の水位まで給水した後、前記洗濯水を、前記第１設定温度よりも低い第２設定温度まで加熱するように前記洗濯ヒーターの駆動を制御することが好ましい。
【００５１】
前記オプション選択部は、前記コース選択部でスチーム可能コースが選択される場合にのみスチーム段階の実行を選択できるスチーム選択部を含み、前記制御部は、前記スチーム可能コースとスチーム段階が選択されると、前記スチーム可能コースが前記スチーム段階の実行後に順次に行われるように制御することが好ましい。
【００５２】
上記目的を達成するために、本発明の一実施例によれば、洗濯水を加熱して洗濯コースを実行する洗濯機の制御方法において、コース選択、又はコース選択及びスチームオプション選択により、スチーム段階が行われるコースが選択される段階と、前記洗濯布の一部が洗濯水に濡れるように、前記内槽の底面よりは高く、前記本洗いのための洗濯水の水位よりは低い、スチーム発生のための洗濯水の水位に、洗濯水と共に洗剤を前記内槽の底面に向かって給水するスチーム発生のための洗濯水供給段階と、前記内槽を収容する外槽に設けられた洗濯ヒーターを駆動して前記洗濯水を第１設定温度まで加熱し、前記洗濯水からスチームを発生させるスチーム段階と、前記選択されたコースによってあらかじめ設定された本洗いのための洗濯水の水位、又は前記選択されたコースと内槽に収容された布量によって別々に設定される本洗いのための洗濯水の水位まで洗濯水を給水する洗濯給水段階と、前記本洗いのための洗濯水の水位でパルセータを駆動して本洗いを行う本洗い段階と、を含む洗濯機の制御方法が提供される。
【００５３】
ここで、前記本洗いのための洗濯水の水位は、選択されるコースと内槽に収容された布量と関係なく、前記スチーム発生のための洗濯水の水位よりも常に高く設定されることが好ましい。
【００５４】
また、前記スチーム段階は、選択されるコースと関係なく、常に本洗い段階の実行前に行われることが好ましい。すなわち、スチーム段階が行われた後、追加給水による本洗いが行われることが好ましい。
【００５５】
上記目的を達成するために、本発明の一実施例によれば、洗濯水を加熱して洗濯コースを実行する洗濯機の制御方法において、内槽に収容された洗濯布の一部が洗濯水に濡れるように、前記内槽の底面よりは高く、本洗いのための洗濯水の水位よりは低い、スチーム発生のための洗濯水の水位に洗濯水を給水する、スチーム発生のための洗濯水供給段階と、前記内槽を収容する外槽に設けられた洗濯ヒーターを駆動して前記洗濯水を第１設定温度まで加熱し、前記洗濯水からスチームを発生させるスチーム段階と、前記本洗いのための洗濯水の水位まで洗濯水を給水する洗濯給水段階と、前記洗濯ヒーターを再駆動して前記第１設定温度よりは低い第２設定温度まで前記洗濯水を加熱する洗濯水ヒーティング段階と、を含む洗濯機の制御方法が提供される。
【００５６】
上記目的を達成するために、本発明の一実施例によれば、洗濯水を加熱して洗濯コースを実行する洗濯機の制御方法において、内槽に収容された洗濯布の一部が洗濯水に濡れるように、前記内槽の底面よりは高く、本洗いのための洗濯水の水位よりは低い、スチーム発生のための洗濯水の水位に洗濯水を給水する、スチーム発生のための洗濯水供給段階と、前記内槽を収容する外槽に設けられた洗濯ヒーターを駆動して前記洗濯水を第１設定温度まで加熱し、前記洗濯水からスチームを発生させるスチーム段階と、前記本洗いのための洗濯水の水位まで洗濯水を給水する洗濯給水段階と、前記洗濯ヒーターを再駆動して前記第１設定温度よりは低い第２設定温度まで前記洗濯水を加熱する洗濯水ヒーティング段階と、本洗い段階と、を含んでなり、前記洗濯水ヒーティング段階終了の前後に、前記洗濯水の温度が５５℃以上で１０分以上維持されるように、前記第１設定温度と第２設定温度が決定されることを特徴とする洗濯機の制御方法が提供される。
【００５７】
以上実施例に関する具体的な特徴は、互いに矛盾したり排他的でない限り、他の実施例に複合的に具現されてもよい。
【発明の効果】
【００５８】
本発明の実施例によれば、少ないエネルギーを消耗するスチーム段階を実行できる洗濯機及びその制御方法を提供することが可能になる。
【００５９】
本発明の実施例によれば、洗濯効果と殺菌効果を効率よく増大させることができる洗濯機を提供することが可能になる。具体的に、スチームを用いて、洗濯初期に汚れ、洗濯布及び洗剤を効率よくふやかすことができる洗濯機及びその制御方法を提供することが可能になる。
【００６０】
本発明の実施例によれば、コースとスチームオプションを使用者が直観的に且つ容易に選択でき、便利に使用できる洗濯機及びその制御方法を提供することが可能になる。
【００６１】
本発明の実施例によれば、直観的、視覚的及び時間的にスチーム使用の有無が明確に区別される洗濯機及びその制御方法を提供することが可能になる。
【００６２】
本発明の実施例によれば、アレルギーを誘発する家ダニを効率よく且つ少ないエネルギーで殺虫できる洗濯機及びその制御方法を提供することが可能になる。
【００６３】
本発明の実施例によれば、スチーム発生のための洗濯水の水位と本洗いのための洗濯水の水位、スチーム発生のための洗濯水の水位と本洗いのための洗濯水の水位で加熱される洗濯水の温度、及びスチーム段階と本洗い段階、がそれぞれ明確に区別されるようにし、最大のスチーム効果を導出できる洗濯機及びその制御方法を提供することが可能になる。
【図面の簡単な説明】
【００６４】
【図１】本発明の一実施例に適用可能な洗濯機の斜視図である。
【図２】図１に示した洗濯機の断面図である。
【図３】図２に示したＡ部分の拡大図である。
【図４】本発明の一実施例に係る洗濯機のブロック図である。
【図５】本発明の一実施例に係る洗濯機におけるコントロールパネルの一例を示す正面図である。
【図６】本発明の一実施例に係る制御方法を示すフローチャートである。
【図７】本発明の他の実施例に係る制御方法を示すフローチャートである。
【図８】アレルギーコースにおける洗濯水温度の推移を示すグラフである。
【発明を実施するための形態】
【００６５】
以下では、添付の図面を参照して、本発明の実施例に係る洗濯機及びその制御方法について詳細に説明する。
【００６６】
まず、図１乃至図３を参照して、本発明の実施例に適用可能な洗濯機の一例について詳しく説明する。同図には垂直軸洗濯機が示されているが、本実施例に係る洗濯機及びその制御方法は必ずしも垂直軸洗濯機に限定されない。
【００６７】
図１及び図２を参照すると、本発明の実施例に係る洗濯機は、外観を形成する筐１と、該筐１の下部に結合されたレッグアセンブリー１０と、備えている。
【００６８】
筐１は、上面と下面が開放されるようにして洗濯機の側面を構成しているサイドキャビネット２と、サイドキャビネット２の開放された上面を覆うように設けられたトップカバー３と、キャビネット２の開放された下面に設けられたベース５と、を備えている。
【００６９】
キャビネット２内には、洗濯水が収容される外槽４と、外槽４の内側に配置され、洗濯布が収容される内槽６と、内槽６を駆動させるモーター８及びモーター８の駆動力を内槽６などに伝達するシャフト８ａを含む駆動装置と、外槽４の内部に水を供給する給水手段３０と、洗い又は脱水が完了した後、外槽４中の水を排水する排水アセンブリー２０と、が配置されている。
【００７０】
給水手段３０は、トップカバー３に設けられ、洗剤が一時貯蔵される洗剤ボックス３２を備えている。洗剤ボックス３２は、洗剤ボックスハウジング３１内に収容されている。洗剤ボックス３２は引出しの形態で洗剤ボックスハウジング３１に着脱されるとよい。
【００７１】
給水手段３０は、給水弁１２と給水ホース１３を備えている。給水弁１２は外部ホース１１に連結され、該外部ホース１１を通って外部給水源から洗濯水が供給されるようになっている。この時、外部給水源から供給される洗濯水は、淡水（ｆｒｅｓｈｗａｔｅｒ）が好ましい。
【００７２】
給水ホース１３は、温水と冷水を供給できる外部給水源に連結されるとよい。すなわち、温水ホースと冷水ホースが別個に設けられているとよい。この場合、給水弁１２も、別個に設けられる温水給水弁と冷水給水弁を含むとよい。
【００７３】
したがって、給水弁１２が開放されると、温水や冷水が個別に又は同時に洗剤ボックス３２に供給可能となる。そして、供給された洗濯水は、洗剤と共に内槽６に供給される。
【００７４】
洗剤ボックス３２は、内槽６の開放された上部に対応するように配置されるとよい。そして、洗濯水は、内槽６の底面に向かって落下するように供給されるとよい。このように洗濯水が供給されると、内槽６に収容されている洗濯布が、落下する洗濯水にある程度濡れるようになる。勿論、洗剤を含有する洗濯水に洗濯布が濡れる。
【００７５】
トップカバー３には、洗濯布を投入したり取り出したりするための布出入口３ａが形成されている。トップカバー３には布出入口３ａを開閉するためのドア４０が取り付けられている。ドア４０は、フレーム部４０ａと、フレーム部４０ａに嵌め込まれているガラス部４０ｂと、を備えている。すなわち、ドア４０は、内部が見えるように少なくとも一部がガラス（ｇｌａｓｓ）になっていればよい。
【００７６】
また、トップカバー３の一側には、洗濯機の作動を入力したり、洗濯機の作動状態を表示するためのコントロールパネル７が装着されている。すなわち、ユーザーインターフェースが設けられていればよい。
【００７７】
外槽４は、キャビネット１の内側上部に複数個のサスペンション１５により垂設されている。サスペンション１５の一端は、キャビネット１の内側上部に結合され、他端は外槽４の下部に結合されるとよい。
【００７８】
内槽６の底面には、外槽４に収容された水の渦流を形成するためのパルセータ９が設けられている。パルセータ９は内槽６と一体に形成され、モーター８の回転時に内槽６とパルセータ９とが共に回転するように構成されてもよい。また、パルセータ９が内槽６と別体として形成され、モーター８の回転時に個別に回転するように構成されてもよい。すなわち、パルセータ９のみが回転してもよく、パルセータ９と内槽６とが同時に回転してもよい。
【００７９】
内槽６の上側には、布の偏りにより内槽６が不釣合いになることを防止するためのバランサー１２が設けられている。バランサー１２は、内部に塩水などの液体が充填された液体バランサーであってよい。
【００８０】
外槽４の上側には、布の離脱や水の飛散を防止するための外槽カバー１４が設けられている。
【００８１】
図２を参照すると、排水アセンブリー２０は、外槽４の下面に形成された排水孔２６に連結された第１排水ホース２１と、水をポンピングする排水ポンプを含む排水ポンプハウジング２４と、排水ポンプハウジング２４に連結され、排水ポンプによりポンピングされた水をキャビネット２の外部に排水する第２排水ホース２５と、を備えている。排水ポンプハウジング２４内には、排水ポンプを駆動させるための排水モーターが取り付けられている。排水アセンブリー２０は外槽４とベース５との間に配置されている。
【００８２】
図３は、図２のＡ部分を拡大した図である。
【００８３】
図３を参照すると、外槽４の下部には洗濯水を加熱するための洗濯ヒーター５０と、ヒーター５０の上側を覆うヒーターカバー６０とが装着されている。
【００８４】
具体的に、外槽４の下部には、洗濯ヒーター５０が配置されるようにヒーター装着溝５２が凹んで形成されている。ヒーター装着溝５２は、外槽４において最も低い箇所に配置されている。そのため、内槽６に供給される洗濯水は、内槽６に形成された通孔を通ってヒーター装着溝５２に流入する。なぜなら、内槽６の外周面の他、内槽６の底面にも通孔が形成されているからである。
【００８５】
このような外槽４、内槽６及びヒーター装着溝５２の位置及び構造から、内槽６に供給される洗濯水はまず最初にヒーター装着溝５２に満たされ、次第に水位が上昇するようになる。
【００８６】
ヒーター装着溝５２の一側下部には排水孔２６が形成され、洗濯ヒーター５０は排水孔２６の上側に配置されている。
【００８７】
ヒーターカバー６０は板状になっており、洗濯ヒーター５０から発される熱に耐えられるように耐熱性を持つ金属材質で作られるとよい。
【００８８】
ヒーターカバー６０は、ヒーター装着溝５２を覆い、外槽４の下面と面一に配置されるとよい。そして、外槽４の下面に洗濯ヒーター５０が着座するようにヒーター装着溝５２が形成されることで、外槽４の下面は段差が付いている。このようなヒーター装着溝５２により、最小の洗濯水で洗濯ヒーター５０を常に洗濯水に浸けることが可能になる。
【００８９】
一方、外槽４の下面が段差付いている場合、アルファ水流が旨く形成されないことがある。ここで、アルファ水流とは、内槽６の高速回転により、内槽６と外槽４との間における洗濯水が内槽６と外槽４との間に沿って上昇し、再び内槽６の上部に供給される水流のことを意味する。
【００９０】
ヒーター装着溝５２の存在により、外槽４内に貯水された水の深さが異なり、アルファ水流が旨く形成されないわけである。
【００９１】
このような理由で、ヒーターカバー６０がヒーター装着溝５２の上側を覆うように配置することが好ましい。このヒーターカバー６０により、外槽４の下面が実質的に扁平になり得る。言い換えると、ヒーターカバー６０により外槽４の下面の段差を解消することができる。
【００９２】
ヒーターカバー６０により外槽４の下面段差が解消されることによって、アルファ水流が円滑に形成され、洗濯性能の向上が可能となる。
【００９３】
ヒーターカバー６０は外槽４の下面に締結部材により締結固定可能である。そのために、ヒーターカバー６０には複数個の締結孔が形成され、ボルト（図示せず）などの締結部材にて締結されるとよい。
【００９４】
ヒーター５０は、円筒状の棒が多重折曲した形状になっており、水平に長く配置されるとよい。
【００９５】
ヒーターカバー６０には洗濯ヒーター５０から発する熱を発熱するとともに、洗濯水が供給されるためのヒーターカバー孔６２が形成されている。
【００９６】
ヒーターカバー孔６２は、少なくとも一つが形成されるとよい。本実施例では２個のヒーターカバー孔が形成されているとして説明する。２個のヒーターカバー孔６２は互いに異なった形状になっていてもよい。ここでは、ヒーターカバー孔６２が楕円形と円形になっているとして説明する。ヒーターカバー孔６２は排水孔２６より大きい又は等しく形成されるとよい。
【００９７】
ヒーターカバー孔６２は、排水孔２６と重ならない箇所に形成されている。排水孔２６の上側が開放されていると、排水初期に排水孔２６の上側から空気が流入し、水が流れない空気層による異常騒音が発生することがあるわけである。
【００９８】
そのため、ヒーターカバー６０は、排水孔２６の垂直方向の上部全体を覆うように形成され、ヒーターカバー孔６２が排水孔２６と連通しないようにヒーターカバー孔６２は排水孔２６と重ならないようにして配置されるのが好ましい。すなわち、ヒーターカバー孔６２の周縁は、排水孔２６の周縁から垂直及び水平方向にそれぞれ所定間隔を置いた箇所に形成されるのが好ましい。
【００９９】
排水ポンプが作動して排水が始まると、外槽４中の洗濯水が排水ポンプによりポンピングされる。ポンピングされた洗濯水は、排水孔２６、第１排水ホース２１、排水ポンプ、第２排水ホース２５を順に通って外部に排水される。
【０１００】
この時、外槽４中の洗濯水はヒーターカバー孔６２やヒーター装着溝５２を通って排水孔２６の方に流入可能である。
【０１０１】
また、ヒーターカバー６０が排水孔２６の上側を覆っているため、排水孔２６の垂直方向の上部は洗濯水で常に満たされる。
【０１０２】
したがって、排水初期や排水流量が少ない場合にも、排水孔２６の上部に空気が流入する空間がなくなる。
【０１０３】
排水孔２６の上部に空気が流入しないから、空気層による異常騒音の発生が防止され、洗濯機の静粛運転に寄与可能となる。また、空気流入の防止により、ポンピング性能も向上可能となる。
【０１０４】
図４は、本実施例に係る洗濯機のブロック図である。
【０１０５】
洗濯機の作動は制御部７ａにより制御される。制御部７ａは、図１に示したコントロールパネル７内に組み込まれているとよい。
【０１０６】
制御部７ａは、コントロールパネル７に設けられたコース選択部１００及びオプション選択部１４０から入力される信号に基づいて洗濯機の作動を制御できる。すなわち、コース選択部１００で選択されるコースとオプション選択部１４０で選択されるオプションに応じて、洗濯機が作動をする。
【０１０７】
選択されたコースとオプションに関する情報、時間情報、及び現在状態情報は、制御部７ａの制御によってディスプレイ１５０に表示されてよい。
【０１０８】
制御部７ａは給水弁３３の駆動を制御できる。この給水弁３３を制御することで、供給される洗濯水の量を制御できる。また、給水弁３３は、温水給水弁及び冷水給水弁を含むとよく、この場合、給水弁３３を制御することで、給水される洗濯水の温度を制御できる。
【０１０９】
制御部７ａは、洗濯ヒーター５０の駆動を制御できる。そのため、洗濯ヒーター５０の過熱を防止でき、且つ、洗濯水が所望の温度まで到達するように洗濯ヒーター５０を駆動させることができる。
【０１１０】
制御部７ａは、モーター８の駆動を制御できる。したがって、モーター８を制御することで、モーターの駆動時点とモーターの駆動パターン（例えば、内槽の回転、パルセータの回転、内槽の脱水回転）を適切にすることができる。
【０１１１】
制御部７ａは、排水ポンプ２４の駆動を制御できる。これにより、排水が必要な時点に排水が可能となる。
【０１１２】
制御部７ａは、水位センサー７０と温度センサー７１に常に信号接続されている。そのため、センサー７０，７１から特定時点に所望の水位情報と温度情報を受信することが可能になる。
【０１１３】
制御部７ａは、水位センサー７０から供給される水位情報に基づき、給水弁３３の駆動を制御できる。そのため、目標の水位まで洗濯水を供給することが可能になる。
【０１１４】
制御部７ａは、温度センサー７１から供給される温度情報に基づき、給水弁３３の駆動を制御できる。そのため、目標の温度を有する洗濯水を供給することが可能になる。
【０１１５】
また、制御部７ａは、温度センサー７１から供給される温度情報に基づき、洗濯ヒーター５０の駆動を制御できる。そのため、供給された洗濯水の温度を目標の温度まで加熱することが可能になる。
【０１１６】
図５は、本実施例に係る洗濯機におけるコントロールパネル７の一例を示す図である。
【０１１７】
洗濯機は、様々な洗濯布を洗濯するべく、複数個の洗濯コースが選択されて行われるようになっている。また、洗濯の他、機能性を提供するために複数個の洗濯コースも選択されて行われるようになっている。したがって、使用者が複数個の洗濯コースから所望の洗濯コースを容易に選択できるようにすることが好ましい。
【０１１８】
本実施例に係る洗濯機は、洗濯水を加熱する洗濯ヒーター５０を備えている。なお、洗濯ヒーター５０を用いてスチームを発生させ、スチームが内槽６に供給されるようになっている。
【０１１９】
洗濯ヒーター５０を用いたスチームの発生は、付加的なエネルギーの消耗につながる。そのため、使用者がスチーム使用の有無を明確に把握できるようにすることが好ましい。そこで、本実施例では、スチームに関連して様々なコースを提供する。
【０１２０】
コース選択部１００が、複数個のコースの中から特定コースを選択するために設けられている。
【０１２１】
複数個のコースは、スチーム可能コース１１０を含んでいる。すなわち、スチームの使用が可能なコースを含んでいる。使用者がスチーム可能コース１１０からいずれかのコースを選択すると、選択されたコースが実行される。この場合、制御部７ａは、プログラミングされた通りに、洗濯機がコースを実行するように制御できる。
【０１２２】
例えば、スチーム可能コース１１０は、一般（ｎｏｒｍａｌ）コースを含むことがある。この一般コースのみを使用者が選択すると、プログラミングされた通りに、洗い、すすぎ、及び脱水といった一般コースが実行されるはずである。
【０１２３】
一方、使用者は、スチーム可能コース１１０の選択と共に、スチーム使用をさらに選択してもよい。すなわち、コースのオプションとしてスチームを選択できる。これはオプション選択部１４０で行われるとよい。具体的には、オプション選択部１４０は、スチーム使用を選択できるスチームオプション１４１を含んでいるとよい。
【０１２４】
例えば、使用者が一般コースとスチームオプションを選択すると、一般コースと共にスチーム段階が行われる。その詳細については後述する。
【０１２５】
複数個のコースは、スチーム排除コース１３０を含むこともある。すなわち、スチームの使用が不可能なコースを含んでもよい。スチーム排除コース１３０は、スチームが使用できないコースといえる。すなわち、コース自体にスチーム段階が含まれないようにプログラミングされるとよい。
【０１２６】
また、上記のスチームオプション１４０がスチーム排除コース１３０と共に選択されないようにしてもよい。したがって、スチーム排除コース１３０、例えば、ウールコースが選択される場合、使用者がスチームオプション１４１を選択できないようにオプション選択部１４０又はコントロールパネル７が制御されるとよい。
【０１２７】
複数個のコースはスチームコース１２０を含むこともある。すなわち、スチームが自動で使用されるコースを含んでもよい。すなわち、コース自体にスチーム段階が含まれるようにプログラミングされるとよい。図５には、アレルギーコース１２１とタブ洗浄コース１２２がスチームコース１２０の一例として示されている。その詳細については後述する。
【０１２８】
図６及び図７は、本実施例に係る洗濯機の制御方法を簡略に示すフローチャートである。
【０１２９】
図６は、スチーム可能コース及びスチームオプションが選択された場合を示しており、図７は、スチームコースが選択された場合を示している。
【０１３０】
基本的に、洗濯機は、複数個の洗濯コースから特定コースが選択（Ｓ１）されることによって作動を開始できる。ここで、洗濯コースは、洗濯機に提供するコースを意味するもので、必ずしも洗濯布を洗濯するためのコースを意味しない。なお、洗濯コースは、開始から終了まであらかじめプログラミングされた順序に従って自動で行われる洗濯機の一連の動作を意味する。一般に、洗濯コースは、洗い行程、すすぎ行程、及び脱水行程を含み、これらの行程が自動で実行されて終了するようになっている。
【０１３１】
本実施例に係る洗濯機では、外槽４の下部に設けられている洗濯ヒーター５０からスチームを発生するようになっている。なお、スチーム発生のための洗濯水の水位は、水洗い（洗濯水による洗濯）の水位とは異なるように設定され、制御されるとよい。また、スチーム段階は、水洗いとは実行時点を異なるように設定されるとよい。すなわち、両者が時間的に明確に分離されるように設定されるとよい。
【０１３２】
上述したように、タブ洗浄コース１２２以外のコースは基本的に、洗濯水を用いた洗濯がなされる。すなわち、水洗いが行われる。このような水洗いでは、充分な量の洗濯水が供給される必要がある。特に、水による洗濯メカニズムが行われる垂直軸洗濯機において、洗濯水の量は洗濯効果と密接な関係がある。
【０１３３】
したがって、水洗いをする洗濯コースでは、内槽又はドラムに収容された洗濯布の量（布量）を感知し、本洗いのための洗濯水の水位を決定する水位決定段階Ｓ２が行われるとよい。言い換えると、複数個の洗濯コースの中から特定コースを選択するコース選択段階Ｓ１の後に、布量に基づく本洗いのための洗濯水の水位が決定（Ｓ２）されるとよい。勿論、タブ洗浄コースのような場合では、Ｓ２段階は省略されてもよい。なぜなら、布量に関係なく本洗いのための洗濯水の水位があらかじめ設定されていいからである。
【０１３４】
ここで、本洗いと本洗いのための洗濯水の水位は、選択された特定コースのメイン洗濯行程とこれを行うための洗濯水の水位を意味する。すなわち、本洗い段階は、洗剤の化学作用、及び内槽、ドラム又はパルセータの駆動による機械的な作用により水洗いが本格的に行われる段階のことをいう。
【０１３５】
したがって、本洗い段階で最適の洗濯効果を得るには、洗濯布に基づく最適の洗濯水の量、すなわち、本洗いのための洗濯水の水位が決定されるのが好ましい。
【０１３６】
本実施例に係る洗濯機の制御方法によれば、本洗いを行う前にスチーム段階Ｓ４が行われることが好ましい。また、本洗いのための洗濯水の水位まで洗濯水が給水される前にスチーム段階Ｓ４が行われることが好ましい。すなわち、洗濯コースが選択され、本洗いのための洗濯水の水位が決定されると、本洗いの実行前にスチーム段階が行われることが好ましい。
【０１３７】
このようなスチーム段階と本洗いとの先後関係は、図６及び図７に示すように、スチームコースかスチーム可能コースかに関わらずに適用されることが好ましい。これは、スチーム段階により、少ないエネルギーの使用で殺菌効果と洗濯効果が顕著に増大できるからである。この先後関係は、タブ洗浄コース１２２にも適用可能である。タブ洗浄コースは布量と関係はないが、本洗いを含むことができ、この場合にも本洗いのための洗濯水の水位があらかじめ設定されるはずである。したがって、本洗いのための洗濯水の水位まで給水する前にスチーム段階が行われてもよい。
【０１３８】
以下では、スチームを発生させて供給するための一連の段階について詳しく説明する。
【０１３９】
まず、上述したように、コース選択部１００を用いて、又はコース選択部１００及びオプション選択部１４０を用いて、特定洗濯コースにおいてスチーム段階が行われるように選択される。すなわち、図６に示すように、コース選択部１００とオプション選択部１４０を用いてスチーム段階が選択されることもあり、図７に示すように、コース選択部１００を用いて選択されることもある。
【０１４０】
特定洗濯コースは、布量に従って複数の本洗いのための洗濯水の水位が別々に決定されることもあり、布量によらずに本洗いのための洗濯水の水位が決定されることもある。
【０１４１】
スチーム段階が含まれる特定洗濯コースを行うには、まず、スチーム発生のための洗濯水が供給（Ｓ３）されればよい。すなわち、スチームコースにおいて、本洗いのための給水ではなくスチーム発生のための給水がまず行われるとよい。また、スチーム可能コースにおいてスチームを使用する場合にも、本洗いのための給水ではなくスチーム発生のための給水がまず行われるとよい。
【０１４２】
スチーム発生のための給水は、スチーム発生のための洗濯水の水位まで行われるのが好ましい。ここで、スチーム発生のための洗濯水の水位は、洗濯布の一部が洗濯水に濡れるように、内槽６の底面よりは高く、本洗いのための洗濯水の水位よりは低い水位が好ましい。
【０１４３】
上述したように、垂直軸洗濯機において、本洗いのための洗濯水の水位は基本的に、洗濯布が洗濯水に完全に浸るような水位であればよい。したがって、スチーム発生のための洗濯水の水位は、コースや水位オプションで決定できる如何なる本洗いのための洗濯水の水位よりも低い水位が好ましい。洗濯水の量が増加するほど、特定温度まで加熱するのにエネルギー消耗が増加するわけである。
【０１４４】
図２には、Ｂ、Ｃ、Ｄといった３種類の水位が例示されている。
【０１４５】
Ｂ水位は、洗濯水が外槽４から内槽６に供給されるような水位を意味できる。すなわち、内槽６の底面までの水位をＢ水位ということができる。したがって、Ｂ水位よりも高い水位では、内槽６に収容された洗濯布が洗濯水に濡れることが可能になる。
【０１４６】
Ｃ水位は、パルセータ９の翼９ａまで浸かる水位を意味し、Ｄ水位は、パルセータ９のキャップ９ｂまで浸かる水位を意味する。
【０１４７】
翼９ａは、中央部から放射方向に複数枚が設けられており、内槽６の底面から所定距離だけ上方に突出して設けられている。また、キャップ９ｂは、複数の翼９ａの中央において翼９ａよりもさらに上方に突出して設けられている。したがって、基本的に、本洗いのための洗濯水の水位は、洗濯水流の形成及び洗濯メカニズムを実現するために、Ｄ水位よりも高いことが好ましい。これは、Ｂ水位からＤ水位までの洗濯水の水位では、洗濯布が洗濯水に完全に濡れないということを意味する。ごく微量の洗濯布を除けば、洗濯布の殆どは翼９ａとキャップ９ｂの上部に位置せざる得ないからである。
【０１４８】
したがって、スチーム発生のための洗濯水の水位は、Ｂ水位より高く且つＤ水位以下であるのが好ましい。より具体的には、スチーム発生のための洗濯水の水位は、Ｃ水位とＤ水位との間で決定されることが好ましい。したがって、スチーム発生のための洗濯水の水位は、洗濯布の一部が洗濯水に濡れるような水位を意味できる。また、スチーム発生のための洗濯水の水位は、実質的にパルセータの上部まで洗濯水に浸かる水位を意味できる。
【０１４９】
このような洗濯水の水位は、水位センサー７０で周波数からセンシング可能である。一般に、センシングされる周波数が低いほど高い水位となる。
【０１５０】
このようなスチーム発生のための洗濯水の水位とともに、本実施例によれば、洗濯水が内槽６の上部から内槽の底面に向かって給水されることが好ましい。すなわち、洗濯水が洗剤ボックス３２を通過して洗剤と共に、内槽に収容された洗濯布に給水されることが好ましい。勿論、このような給水は、スチーム発生のための洗濯水の水位まで行われることが好ましい。
【０１５１】
内槽に収容された洗濯布は、給水される洗濯水と洗剤に濡れるし、給水された洗濯水と洗剤に再び濡れるようになる。勿論、場合によっては、洗濯布の一部は洗濯水と洗剤に濡れないこともある。しかし、スチーム段階Ｓ４が行われることによって、このようなスチーム発生のための洗濯水の水位及び／又は給水方法により効果的な洗濯効果が期待できる。
【０１５２】
一般に、洗濯効果を高めるために、洗濯布を洗濯水と洗剤につけ置く段階が行われることがある。すなわち、洗濯布についた汚れをふやかして容易に汚れが落ちるようにつけ置き段階が行われることがある。また、洗剤が洗濯水に充分に溶けて洗剤による洗濯効果がより向上するようにつけ置き段階が行われることもある。
【０１５３】
一方、このようなつけ置き段階は、高温の洗濯水を使用することがより効果的である。洗濯水の温度が高いほど、洗濯布、汚れ及び洗剤をふやかす効果がより向上するからである。
【０１５４】
しかし、一般に、洗濯布が洗濯水に浸された状態で行われるつけ置き段階は、長い時間がかかるという不都合がある。なお、多量の洗濯水を加熱することからエネルギーの消耗も多くなる。
【０１５５】
本実施例によれば、スチームを使ってこのようなつけ置き段階を短い時間且つ少ないエネルギー消耗で行うことができる。したがって、短い時間と少ないエネルギー消耗だけでも効率よく殺菌効果と洗濯効果を得ることができる。
【０１５６】
具体的に、スチーム発生のための洗濯水の水位、及びスチーム発生のための洗濯水の水位までの給水方法により、洗濯布の一部が洗濯水と洗剤に濡れるようになる。勿論、給水された洗濯水と洗剤に洗濯布の一部が濡れる。
【０１５７】
スチーム発生のための洗濯水の水位まで洗濯水が給水されるスチーム発生のための洗濯水供給段階（Ｓ３）が行われると、スチーム段階（Ｓ４）が行われる。すなわち、洗濯ヒーターを駆動して洗濯水を加熱すればよい。そして、洗濯ヒーターの駆動は第１設定温度まで行うとよい。なお、洗濯ヒーターの駆動は、持続的で連続的に行われるとよい。言い換えると、洗濯ヒーターが駆動し始まると、第１設定温度に到達するまで持続的に駆動されるとよい。
【０１５８】
第１設定温度は、洗濯ヒーター５０の近傍又は外槽４の底面に装着可能な温度センサー７１からセンシングされるとよい。すなわち、洗濯水が加熱されるにつれて、温度センサー７１に第１設定温度がセンシングされると、制御部７ａは洗濯ヒーターの駆動を停止させる。
【０１５９】
第１設定温度は６０℃以上に設定されるとよい。また、第１設定温度は水の沸騰点未満に設定されることが好ましい。すなわち、本実施例におけるスチームは、水の沸騰点以上で生成される不可視的なスチームではなく、水の沸騰点未満で生成される可視的なスチームが好ましい。
【０１６０】
上述したように、スチーム発生のための洗濯水の水位において、加熱された洗濯水は洗濯布と接するようになる。液体状態の水から伝達される熱量と気体状態の水から伝達される熱量には顕著な差がある。接触面積において顕著な差があるからである。
【０１６１】
したがって、過度な洗濯水の温度上昇は、洗濯布が熱損傷する恐れがあるため好ましくない。逆に、低すぎる洗濯水の温度上昇は、発生するスチーム量が非常に少ないため好ましくない。
【０１６２】
殺菌温度、スチーム量、エネルギー消耗量、加熱時間及び洗濯布の熱損傷などから、第１設定温度は６０℃以上７０℃未満に設定されることが好ましい。
【０１６３】
一方、このような第１設定温度は、供給される洗濯水の温度とも関連がある。外部給水源から冷水と温水が供給される環境もあり、この環境で使用される洗濯機では、洗濯水の温度を温度オプション１４２を用いて選択できる。
【０１６４】
このような温度オプションにより、冷水と温水との供給比率を適度に調節し、選択された洗濯水の温度に応じた洗濯水が供給できる。一般に、最低温度は、水道水のみが供給される時の温度であり、最高の温度は、温水のみが供給される時の温度である。
【０１６５】
このように冷水と温水の供給が可能な環境において、一般に温水の温度は５０℃を越えない。勿論、その以上である場合もある。したがって、洗濯機自体でスチーム発生のために消耗されるエネルギーを最小化するために、スチーム発生のための洗濯水供給段階（Ｓ３）では最高水温の洗濯水が供給されることが好ましい。すなわち、洗濯機の設置環境及び制御条件によって、供給可能な最高水温の洗濯水が供給されることが好ましい。単純には、スチーム発生のための洗濯水供給段階（Ｓ３）では温水のみが給水されるように制御することが好ましい。
【０１６６】
ここで、第１設定温度は、温水の供給環境を考慮して、少なくとも温水の最高水温よりは高く設定されることが好ましい。スチーム環境を作るには加熱時間がかかるからである。これは、充分な量のスチームを発生させ、発生したスチームが内槽の内部を高温多湿な環境に変化させるようにするためである。
【０１６７】
図１及び図２に示すように、外槽４と内槽６は、ドア４０によりある程度外部と遮断された密閉構造を有する。密閉度合は、粒子の大きい可視的なスチームがドア４０から外部に漏れない程度であれば充分である。
【０１６８】
したがって、スチーム発生のための洗濯水の水位において洗濯水が第１設定温度まで加熱されることで、可視的なスチームは内槽６の内部空間を高温多湿な環境に作るようになる。すなわち、洗濯水の他、スチームによっても、洗剤、洗濯布及び内部空気まで加熱される。
【０１６９】
温度が上昇するほど、洗濯布はより多量の水分を吸収し、これにより、高温の環境で洗濯布、洗剤及び汚れをふやかすことが可能となる。
【０１７０】
まず、スチームは、液体状態の水に比べて表面積が広い。そのため、スチームが発生するにつれて洗濯布はより多量の水分を吸収できる。なお、液体の温度上昇は表面張力の低下を意味する。そのため、洗濯水自体もより円滑に洗濯布に吸収可能となる。
【０１７１】
したがって、スチーム発生のための洗濯水の水位での加熱により、液状の洗濯水の吸収もスチームの吸収も活発に進行可能となる。
【０１７２】
一方、スチーム段階Ｓ４では、内槽６が周期的又は反復的に回転することが好ましい。すなわち、パルセータ９のみ回転するのではなく、内槽６とパルセータ９とが一体に回転することが好ましい。すなわち、パルセータの駆動がない状態でスチーム段階Ｓ４が行われることが好ましい。パルセータの駆動とは、内槽６は停止している状態で、パルセータのみ回転することを意味するからである。
【０１７３】
このような内槽６の回転は、スチームを洗濯布に均一に供給させるために行われる。すなわち、可能な限り洗濯布を内槽６の底面に近接して広けるためである。そのために、内槽６は低速で回転することが好ましい。スチーム発生のための洗濯水の水位における過度な内槽の回転は洗濯布の損傷を招くことがあるからである。
【０１７４】
なお、内槽６の低速回転は、洗濯水の表面に微細振動を誘発し、空気と洗濯水の表面との接触面積を大きくすることができる。このような微細振動及び洗濯ヒーターの駆動が同時に行われることで、より効率よく可視的なスチームを発生させることができる。
【０１７５】
以下では、図６を参照してスチーム可能コースについて詳細に説明する。
【０１７６】
上述したように、スチーム可能コースとは、スチーム段階の実行を使用者がオプションとして選択できるコースを意味できる。このようなスチーム可能コースは、スチーム段階によって洗濯布が損傷しないコースを意味することもできる。
【０１７７】
使用者がスチーム可能コースとスチームをオプションとして選択（Ｓ１）すると、上述したように、布量感知と本洗いのための洗濯水の水位決定（Ｓ２）、スチーム発生のための洗濯水供給段階（Ｓ３）及びスチーム段階（Ｓ４）が順に実行される。その後、選択されたコースに従って後続の本洗いが実行される。言い換えると、あらかじめ設定されたコースに含まれる本洗いを行う前に、スチーム段階がまず実行される。
【０１７８】
すなわち、スチーム段階（Ｓ４）の完了後に、洗濯給水段階（Ｓ１２）と本洗い段階（Ｓ１３）が実行される。本洗い段階が完了すると、排水（Ｓ１４）と簡易脱水（Ｓ１５）が実行される。以後、すすぎと脱水が順次に実行され、コース実行が終了する。
【０１７９】
一方、使用者がスチームオプション無しでスチーム可能コースのみを選択（Ｓ１）すると、布量感知と本洗いのための洗濯水の水位決定（Ｓ２）が実行されるだけで、スチーム発生のための洗濯水供給段階（Ｓ３）とスチーム段階（Ｓ４）は実行されない。すなわち、本洗いのための洗濯水の水位が決定（Ｓ２）されると、本洗いのための洗濯水の水位まで給水され（Ｓ１２）、プログラミングされた通り、本洗い（Ｓ１３）、すすぎ（Ｓ１５）及び脱水（Ｓ１５）の順に、選択されたコースが実行される。
【０１８０】
スチーム可能コースでは、スチームオプションを選択したか否かによって、洗濯機の初期動作パターンにおいて顕著な相違があることがわかる。すなわち、使用者は、スチームオプションを選択した場合と選択しなかった場合とにおける相違が明確に把握できる。スチーム段階は基本コースに先立って行われることが明確であるからである。なお、スチーム段階と後続する本洗い段階とでは、水位の相違、及び内槽やパルセータの駆動の相違も明確であるからである。
【０１８１】
スチーム段階をオプションとして選択することは、使用者がエネルギー消耗が多くなるということを認識していることを前提とする。多いエネルギー消耗にもかかわらず、使用者は意図的に、洗浄効果と殺菌効果などをより高めるために、スチーム段階をオプションとして選択するのである。
【０１８２】
スチーム段階は、スチーム可能コースの実行初期又は前に実行できる。そして、スチーム段階は、視覚的に且つ時期的に一般のスチーム可能コース（スチーム選択がない場合）と顕著に区別可能である。したがって、前述したスチーム段階の効果に加えて、使用者が直観的に且つ容易にスチーム使用を選択できるという効果も提供可能である。これにより、製品満足度、製品信頼性及び使用便宜性が増大できる。
【０１８３】
以下では、図７を参照してスチームコースについて説明する。
【０１８４】
スチームコースは、コース選択だけでもスチームが自動で発生するコースを意味する。すなわち、スチームオプションの選択とは無関係にスチームが発生するコースである。
【０１８５】
図５には、スチームコースの一例としてタブ洗浄コース１２２が示されている。タブ洗浄コース１２２が選択されると、上述したように、スチーム発生のための洗濯水供給段階（Ｓ３）とスチーム段階（Ｓ４）が実行され、内槽の他、外槽の内部も高温多湿なスチーム環境となる。その後、給水が実行され、後続する本洗いが実行されるとよい。同様に、タブ洗浄コース１２２でも、本洗いを行う前にスチーム段階が実行されるとよい。
【０１８６】
一方、スチームコースは、アレルギーコース１２１又はアレルギーケアコースを含むこともある。このようなスチームコースが選択されると、前述した水位決定段階（Ｓ２）、スチーム発生のための洗濯水供給段階（Ｓ３）、スチーム段階（Ｓ４）、及び本洗い段階が順次に行われることが好ましい。すなわち、スチームオプションが選択されなくても、スチームコースの選択だけで、上記の段階が順次に行われることが好ましい。
【０１８７】
以下では、スチームコースの一例であるアレルギーコース１２１について詳細に説明する。
【０１８８】
図７に示すように、アレルギーコース１２１が選択されると、第１設定温度まで洗濯水が加熱されるスチーム段階Ｓ４まで順次に実行できる。すなわち、スチーム段階Ｓ４までは、前述したスチーム可能コースとスチームオプションが共に選択される場合と同一であればよい。
【０１８９】
スチーム段階Ｓ４の後、水位決定段階Ｓ２で決定された本洗いのための洗濯水の水位まで洗濯水が給水される洗濯給水段階Ｓ５が行われることが好ましい。したがって、相対的に非常に多い量の洗濯水が追加に供給されることとなる。
【０１９０】
第１設定温度まで上昇した洗濯水の温度は、追加の給水、すなわち洗濯給水段階により低くなる。そのため、本洗いを行う前に、洗濯水を加熱する洗濯水ヒーティング段階（Ｓ６）が行われることが好ましい。なお、洗濯水ヒーティング段階（Ｓ６）におけるエネルギー消耗を低減するべく、洗濯給水段階では、最高水温の洗濯水が供給されるのが好ましい。
【０１９１】
一方、洗濯給水段階Ｓ５が完了した後、洗濯水ヒーティング段階Ｓ６が行われる前に、バランシング（Ｓ１０）や撹はん（Ｓ１１）が実行されるとよい。
【０１９２】
バランシング（Ｓ１０）は、洗濯布が内槽６の特定箇所に偏在しないように、洗濯布を分散するために実行される。このようなバランシング（Ｓ１０）は、内槽６を左右に回転させることによってなされる。このようなバランシング（Ｓ１０）により、本洗いのための洗濯水の水位よりも高くに位置する洗濯布が洗濯水に浸されるようになる。
【０１９３】
また、バランシング（Ｓ１０）の後に撹はん（Ｓ１１）を実行できる。撹はんは、パルセータ９が駆動されることによってなされる。撹はんにより水流が形成され、洗濯水に浸された洗濯布が流動可能となる。このような撹はん段階により、洗濯布が全体的に洗濯水に濡れることとなる。
【０１９４】
ここで、アレルギーコース１２１は、洗濯効果に加えて、殺虫効果をも極大化するためのコースを意味できる。すなわち、アレルギーを誘発する家ダニを効率よく殺虫するために特に設けられたコースといえる。
【０１９５】
このような家ダニの効果的な殺虫のために、家ダニが露出される温度と露出される時間といった２ファクターが同時に満たされるのが好ましい。実質的に家ダニが１００％殺虫される条件として、家ダニが５５℃以上の温度で１０分以上露出されることが知られている。このような条件を便宜上、殺虫条件という。
【０１９６】
問題は、このような殺虫条件を最小のエネルギー消耗で達成できるかにある。このような殺虫条件は、洗濯布と洗濯水の温度の他、洗濯水と洗濯水が貯水される内槽と外槽の温度にも大きく影響を受けるからである。
【０１９７】
しかし、本実施例では、上述したように、スチーム段階（Ｓ４）によりスチーム環境が作られたことから、内槽と外槽も充分に温度が上昇している状態であるといえる。したがって、洗濯給水が行われた後、外槽と内槽の温度が大幅に低下することはないだろう。これにより、追加給水が行われても相対的に少ないエネルギーにより、上記の殺虫条件を満たすことが可能となる。なお、供給可能な最高水温の洗濯水をさらに供給できるため、温度の低下幅を最小化することができる。
【０１９８】
具体的に、洗濯水ヒーティング段階（Ｓ６）では、第２設定温度まで洗濯水を加熱できる。すなわち、洗濯水のヒーティング段階は、第２設定温度に至るまで実行されるとよい。
【０１９９】
第２設定温度は、５０℃以上６０℃以下が好ましい。より具体的には、第２設定温度は第１設定温度よりも低いのが好ましい。言い換えると、第１設定温度が第２設定温度よりも高いのが好ましい。すなわち、相対的に多量の洗濯水を加熱する時の設定温度がより低いのが好ましい。こうすると、その逆の場合に比べて、消耗されるエネルギー量を顕著に低減できる。なお、より容易に第２設定温度まで到達することもできる。
【０２００】
この洗濯水ヒーティング段階（Ｓ６）での内槽又はパルセータの駆動は、前述したスチーム段階（Ｓ４）におけると同一であればよい。すなわち、同様の理由で、パルセータ駆動がない状態で洗濯水ヒーティング段階（Ｓ６）が行われることが好ましい。
【０２０１】
洗濯水ヒーティング段階Ｓ６が終了すると、本洗い段階（Ｓ７）が行われる。すなわち、パルセータの駆動により本格的な洗いが行われる。本洗い段階（Ｓ７）が終了すると、排水（Ｓ８）後に簡易脱水（Ｓ９）が行われるとよい。その後、図示してはいないが、すすぎと脱水を経てコースの実行が終了すればよい。
【０２０２】
ここで、上述したように、少ないエネルギー消耗で殺虫条件を満たすための、第１設定温度と第２設定温度との関係は重要である。もちろん、このような温度は、前述したスチーム発生のための洗濯水の水位と本洗いのための洗濯水の水位を前提とすればよい。
【０２０３】
具体的に、第１設定温度と第２設定温度は、洗濯水ヒーティング終了時点の前後に、洗濯水の温度が殺虫条件を満たすように決定されることが好ましい。
【０２０４】
まず、上述したように、第１設定温度が第２設定温度よりも高いことが好ましい。したがって、実質的に殺虫条件を満たすために第２設定温度が重要である。
【０２０５】
洗濯水がヒーティングされるにつれて洗濯水の温度は持続的に上昇する。しかし、洗濯水のヒーティングが停止すると、外部に熱が伝達され、洗濯水の温度は低くなる。したがって、熱伝逹量は温度差に比例する。例えば、洗濯水と洗濯水の収容される外部環境、すなわち、内槽及び外槽との温度差が少ないほど、熱伝逹量は低減する。すなわち、前記温度差が少ないほど、洗濯水のヒーティングが停止した後、洗濯水の温度下降は遅くなる。
【０２０６】
実質的に、アレルギーコース１２１実行のためのスチーム段階Ｓ４は、このような外部環境を効率よく加熱する段階であるといえる。なお、加熱した洗濯水の熱が、洗濯布の他、内槽と外槽まで充分に伝達されるように、洗濯ヒーターの作動は休止期間を含むことが好ましい。すなわち、洗濯水ヒーティング段階（Ｓ６）において洗濯ヒーター５０は相対的に短い休止期間を有するように駆動されることが好ましい。このような休止期間に内槽及び外槽まで充分の熱が伝達可能となる。
【０２０７】
一方、上記休止期間においてパルセータが駆動される撹はん段階が行われることが好ましい。この撹はんは、加熱された洗濯水を洗濯布に全体的に供給するためである。なお、部分的に洗濯水に濡れていない洗濯布を完全に濡らすためでもある。
【０２０８】
したがって、洗濯水ヒーティング段階は、連続的にヒーターが駆動されるヒーター駆動段階と、パルセータが駆動される撹はん段階を含むことが好ましい。なお、このヒーター駆動段階と撹はん段階は交互に行われることが好ましい。
【０２０９】
上述したように、ヒーター駆動段階ではパルセータの駆動が停止し、撹はん段階ではパルセータは駆動し、洗濯ヒーターの駆動は停止することが好ましい。
【０２１０】
このようなヒーター駆動段階と撹はん段階は順次的に且つ反復的に行われるとよい。そして、ヒーター駆動段階を最後に、洗濯水ヒーティング段階Ｓ６が終了するのが好ましい。
【０２１１】
上述したように、洗濯水ヒーティング段階は第２設定温度まで実行されるとよい。ここで、第２設定温度は、前述した殺虫条件を満たす温度よりは高く設定されるのが好ましい。ただし、第２設定温度は、６０℃より低い温度に設定されてもよい。例えば、５７℃に設定されるとよい。
【０２１２】
第２設定温度が５５℃以上の場合に、洗濯水ヒーティング段階（Ｓ６）において該第２設定温度に達するまで一定時間の間に当然、洗濯水の温度は５５℃以上の条件を満たす。以降、ヒーティング段階（Ｓ６）が終了すると、洗濯水の温度は漸次下り５５℃未満に下降する。ただし、このヒーティング段階終了後にも、洗濯水の温度は５５℃で一定時間維持される。このように、前述のスチーム段階Ｓ４と洗濯水ヒーティング段階Ｓ６とにおける設定温度の相違と水位の相違により、少ないエネルギー消耗だけでも殺虫条件を満たすことが可能になる。
【０２１３】
図８には、スチームコース、特に、アレルギーコースにおける洗濯水の温度推移を示している。
【０２１４】
スチーム段階Ｓ４は、洗濯水の温度が第１設定温度（例えば、７０℃）に到達するまで実行される。スチーム段階（Ｓ４）の終了後に、温水が追加給水（Ｓ５）されるから、洗濯水温度の低下幅は大きくないだろう。
【０２１５】
しかし、洗濯水の量が相対的に格段に多くなるから、スチーム段階（Ｓ４）よりは相対的に長い時間洗濯水ヒーティング段階（Ｓ６）が行われる。勿論、洗濯水ヒーティング段階（Ｓ６）では複数回の休止期間を含むとよい。
【０２１６】
洗濯水ヒーティング段階（Ｓ６）が行われる間に、洗濯水の温度は漸次上昇する。そして、洗濯水ヒーティング段階（Ｓ６）は、洗濯水の温度が第２設定温度（例えば、５７℃）に到達するまで行われる。
【０２１７】
そのため、洗濯水ヒーティング段階Ｓ６の終了時点の前後に、連続して殺虫条件を満たす温度区間が存在することとなる。
【０２１８】
勿論、第２設定温度をさらに増加させ、殺虫条件を満たす区間をより増やすことも可能である。しかし、エネルギー消耗の側面から、第２設定温度をより高く設定することは好ましくない場合もある。
【０２１９】
一方、スチームコースは、必ずしもこのような殺虫条件を満たさなくてもよい。すなわち、アレルギーケアではなく、一般の殺菌コースを含む場合もある。いずれの場合であれ、実質的に熱伝達媒介物を別々にすればよい。すなわち、スチーム段階では実質的にスチームにより内槽中の環境を高温多湿にさせるとよい。そして、洗濯水ヒーティング段階では、実質的に洗濯水により内槽中の環境を高温にさせるとよい。
【０２２０】
スチーム段階と洗濯水ヒーティング段階の先後関係、設定温度の相違、水位の相違及び熱伝達媒介物の相違により、より効率よい洗濯効果と殺菌効果の増進が期待でき、相対的にエネルギー消耗を低減することが可能になる。
【０２２１】
本発明の属する技術の分野における通常の知識を有する者とって本発明の技術的思想や必須の特徴を変更することなく他の具体的な形態が実施できるということが理解される。したがって、以上に記述した実施例はいずれの面においても例示的なもので、限定的なものと理解してはならない。また、本発明の範囲は、上記の詳細な説明ではなく添付した特許請求の範囲によって定められるべきである。したがって、特許請求の範囲及びその均等範囲から導出されるいかなる変更や変形も本発明の範囲に含まれるものとして解釈すべきである。
【符号の説明】
【０２２２】
１    キャビネット
２    サイドキャビネット
３    トップカバー
４    外槽
５    ベース
６    内槽
７    コントロールパネル
７ａ    制御部
９    パルセータ
３３    給水弁
５０    洗濯水ヒーター
６０    ヒーターカバー
７０    水位センサー
７１    温度センサー
１００    コース選択部
１４０    オプション選択部
１５０    ディスプレイ
【図１】
2014147781.tif 000003
【図２】
2014147781.tif 000004
【図３】
2014147781.tif 000005
【図４】
2014147781.tif 000006
【図５】
2014147781.tif 000007
【図６】
2014147781.tif 000008
【図７】
2014147781.tif 000009
【図８】
2014147781.tif 000010